(57)【要約】      （修正有）【課題】感覚的に長さを把握しやすく、接続しようとする配管の呼び径に関わらず、１つの器具で対応可能な管寸法割出器具を提供する。【解決手段】管寸法割出器具１は、第１配管１１の外周面上であって第２配管１２の軸線１２Ｃからの距離が最も遠い位置１１Ｆに沿って当接させる基準桿２と、基準桿が当接する第１配管の端面１１Ａの角位置１１Ｂから第２配管に向かって第１角度Ａ１で斜め方向に延び、第２配管の外周面上であって第１配管の軸線１１Ｃからの距離が最も近い位置１２Ｆに当接させる定規であり、基準桿２が当接する第１配管の端面の角位置１１Ｂから第２配管の外周面上の当接位置１２Ｂまでの長さを測定可能な定規３と、基準桿に対して定規を定規の延びる方向Ｚにスライド可能に支持する支持部４とを有する。【選択図】図３
0003219197.tif 000002
【実用新案登録請求の範囲】
【請求項１】
互いに平行な偏心関係にある第１配管と第２配管とをそれぞれ第１角度で方向を曲げる管継手を介して斜め方向に接続する第３配管の寸法を割り出すための管寸法割出器具であって、
前記第１配管の外周面上であって前記第２配管の軸線からの距離が最も遠い位置に沿って当接させる基準桿と、
前記基準桿が当接する前記第１配管の端面の角位置から前記第２配管に向かって前記第１角度で斜め方向に延び、前記第２配管の外周面上であって前記第１配管の軸線からの距離が最も近い位置に当接させる定規であり、前記基準桿が当接する前記第１配管の端面の角位置から前記第２配管の外周面上の当接位置までの長さを測定可能な定規と、
前記基準桿に対して前記定規を前記定規の延びる方向にスライド可能に支持する支持部と
を有する管寸法割出器具。
【請求項２】
前記第１角度は４５度であり、前記管継手は４５度エルボである請求項１記載の管寸法割出器具。
【請求項３】
前記第１配管は前記第２配管より上方に配設されたものである請求項１または２に記載の管寸法割出器具。
【考案の詳細な説明】
【技術分野】
【０００１】
本考案は、互いに平行な偏心関係にある２つの配管を、それぞれ方向を曲げる管継手を介して斜め方向に接続する配管の寸法を割り出すための管寸法割出器具に関する。
【背景技術】
【０００２】
配管工事において、互いに平行な偏心関係にある２つの配管を接続する際には、一般的に２つの配管にそれぞれ４５度エルボを取り付け、その４５度エルボを介して斜めに配管が接続されるが、この４５度エルボ間の配管の寸法を割り出すことは容易ではない。そこで、従来、この４５度エルボ間の配管の寸法を割り出すための器具が開発されている。
【０００３】
例えば、特許文献１には、中心軸線がその延長線どうしで平行となるように配管される上流偏心管と下流偏心管とに、それぞれに４５度エルボを介して呼管を４５度の斜めに接続する配管において、予め呼管の配管寸法を割り出すために使用する４５度エルボ間配管用の管寸法読取器具が記載されている。この管寸法読み取り器具は、そのフレームとなる尺本体に、メートル尺を一体に設ける他に、メートル目盛りを１／√２に縮小した√目盛りを有する√２尺をスライド可能に隣接して設け、さらに、尺本体には、４５度エルボの規格毎の呼径を数値で配列するとともに、エルボ中心から呼径部分の端に至る伸寸の２倍数値を√２尺から取った目印を該当する呼径の数値毎に記入したものである。この管寸法読取器具により両４５度エルボの間に収める呼管の長さを割り出すには、当該４５度エルボの呼径の数値の目印に、√２尺のゼロの目盛りを合わせる。そうして、両偏心管の間の中心軸の間を測定した偏心寸法をメートル尺に取り、その目盛りから√目盛りを読み取ると、その値が呼管の配管寸法となる。
【０００４】
また、特許文献２には、配管継手が着脱自在に外嵌できる第１頭部と第２頭部とをそれぞれ設け、これら第１頭部と第２頭部とを伸縮自在で且つ任意の伸縮位置に保持可能に構成した伸縮軸で連結してなる配管芯出し具が記載されている。この配管芯出し具によれば、配管芯の異なる２本の平行な管を継手２個を用いて接続する場合に、まず一方の管に配管継手を介して本配管芯出し具を一端を差し込んだ（接続した）うえ、他端も配管継手に差し込んだ後、伸縮軸を伸長ないし短縮させることにより、容易にもう一方の配管芯に合わせることができると同時に、容易に正確な管寸法を測定できる。
【先行技術文献】
【特許文献】
【０００５】
【特許文献１】特開２０１１−１７５８５号公報
【特許文献２】特開２００７−２８５４６７号公報
【考案の概要】
【考案が解決しようとする課題】
【０００６】
特許文献１に記載の管寸法読取器具は、４５度エルボの規格ごとの呼び径に応じてそれぞれ適切な目盛りに合わせる必要があり、誤って異なる目盛りに合わせてしまった場合、この管寸法読取器具により得た値の長さの配管を準備して実際に接続するまで気付かないことになる。すなわち、特許文献１に記載の管寸法読取器具は、メートル目盛りを１／√２に縮小した√目盛りから値だけを得るものであり、実際の配管の長さを感覚的に把握しにくいため、誤りに気付きにくいという問題がある。
【０００７】
また、特許文献２に記載の配管芯出し具は、第１頭部と第２頭部とをそれぞれ配管継手に差し込んで測定するものであるため、配管継手の呼び径、すなわち、接続しようとする配管の呼び径ごとにそれぞれ用意する必要があるという問題がある。
【０００８】
そこで、本考案においては、感覚的に長さを把握しやすく、接続しようとする配管の呼び径に関わらず、１つの器具で対応可能な管寸法割出器具を提供することを目的とする。
【課題を解決するための手段】
【０００９】
本考案の管寸法割出器具は、互いに平行な偏心関係にある第１配管と第２配管とをそれぞれ第１角度で方向を曲げる管継手を介して斜め方向に接続する第３配管の寸法を割り出すための管寸法割出器具であって、第１配管の外周面上であって第２配管の軸線からの距離が最も遠い位置に沿って当接させる基準桿と、基準桿が当接する第１配管の端面の角位置から第２配管に向かって第１角度で斜め方向に延び、第２配管の外周面上であって第１配管の軸線からの距離が最も近い位置に当接させる定規であり、基準桿が当接する第１配管の端面の角位置から第２配管の外周面上の当接位置までの長さを測定可能な定規と、基準桿に対して定規を定規の延びる方向にスライド可能に支持する支持部とを有するものである。
【００１０】
本考案の管寸法割出器具によれば、互いに平行な偏心関係にある第１配管と第２配管とをそれぞれ第１角度で方向を曲げる管継手を介して第３配管により斜め方向に接続する際、第１配管の外周面上であって第２配管の軸線からの距離が最も遠い位置に沿って基準桿を当接させ、支持部にスライド可能に支持される定規をスライドさせて第２配管の外周面上であって第１配管の軸線からの距離が最も近い位置に当接させ、基準桿が当接する第１配管の端面の角位置から第２配管の外周面上の当接位置までの長さを定規により測定して第３配管の寸法を割り出すことができる。
【考案の効果】
【００１１】
本考案の管寸法割出器具によれば、定規の実長によって感覚的に長さを把握しやすく、接続しようとする配管の呼び径に関わらず、１つの器具で対応することが可能となる。
【図面の簡単な説明】
【００１２】
【図１】本考案の実施の形態における管寸法割出器具の側面図である。
【図２】図１の管寸法割出器具の分解図である。
【図３】図１の管寸法割出器具の使用状態を示す側面図である。
【図４】図１の管寸法割出器具を用いて配管寸法を割り出す手順を示す説明図である。
【考案を実施するための形態】
【００１３】
図１は本考案の実施の形態における管寸法割出器具の側面図、図２は図１の管寸法割出器具の分解図、図３は図１の管寸法割出器具の使用状態を示す側面図、図４は図１の管寸法割出器具を用いて配管寸法を割り出す手順を示す説明図である。
【００１４】
図１〜図３に示すように、本考案の実施の形態における管寸法割出器具１は、互いに平行な偏心関係にある第１配管１１と第２配管１２とをそれぞれ第１角度Ａ１（本実施形態においては、Ａ１＝４５度。）で方向を曲げる管継手（本実施形態においては、４５度エルボ５１，５２（図４参照。）。）を介して斜め方向に接続する第３配管１３（図４参照。）の寸法を割り出すためのものである。なお、本実施形態においては、第１配管１１は第２配管より上方に配設されている。
【００１５】
管寸法割出器具１は、第１配管１１の外周面上であって第２配管１２の軸線１２Ｃからの距離が最も遠い位置１１Ｆに沿って基準面２０を当接させる基準桿２と、基準桿２に対して第１角度Ａ１（４５度）で第２配管１２に向かって延びる定規３と、基準桿２に対して定規３を定規の延びる方向Ｚにスライド可能に支持する支持部４とを有する。
【００１６】
定規３は、基準桿２が当接する第１配管１１の端面１１Ａの角位置１１Ｂから第２配管１２に向かって第１角度Ａ１（４５度）で斜め方向に延び、第２配管１２の外周面上であって第１配管１１の軸線１１Ｃからの距離が最も近い位置１２Ｆに当接させるものであり、基準桿２が当接する第１配管１１の端面１１Ａの角位置１１Ｂから第２配管１２の外周面上の当接位置１２Ｂまでの長さを測定可能なものである。
【００１７】
定規３には、この基準桿２が当接する第１配管１１の端面１１Ａの角位置１１Ｂから第２配管１２の外周面上の当接位置１２Ｂまでの長さを示す目盛３０が表示されている。なお、図示しないが、目盛３０の刻み幅は、ミリ単位、尺単位やインチ単位等、適宜選択可能である。
【００１８】
基準桿２は、基準面２０に対して角度Ａ２（＝Ａ１＋９０度＝１３５度）で斜め方向に延びる定規差込孔２２を備えている。定規３は、定規差込孔２２に差し込まれ、定規差込孔２２内でスライドする。また、定規差込孔２２には、定規３の目盛３０を読取り可能なように、正面に開口窓２３が形成されている。
【００１９】
定規３の先端にはキャップ３１が設けられている。キャップ３１の第２配管１２の外周面上に当接する角位置３１Ａと、基準桿２の第１配管１１の端面１１Ａの角位置Ｂに当接する角位置２１とを結ぶ線（図１に示す想像線３２）は、定規３の延びる方向Ｚと平行になっている。
【００２０】
定規３は、第１配管１１と第２配管１２との偏心の大きさに応じて、例えば３０ｃｍ、５０ｃｍや１００ｃｍ等の長さの定規３Ａ，３Ｂ，３Ｃを使い分ける。また、複数の定規３Ａ，３Ｂ，３Ｃをジョイント３３により連結して使用することも可能である。ジョイント３３は、定規３Ａ，３Ｂ，３Ｃを差し込み可能な定規差込孔３３Ａと２つの接続穴３３Ｂとを備えている。定規３Ａ，３Ｂ，３Ｃの両端部には接続穴３４が形成されている。定規３Ａ，３Ｂ，３Ｃを連結する際には、連結する定規３Ａ，３Ｂ，３Ｃの端部を定規差込孔３３Ａに差し込み、ジョイント３３の接続穴３３Ｂと定規３Ａ，３Ｂ，３Ｃの接続穴３４とで固定する。
【００２１】
キャップ３１も同様に、定規３Ａ，３Ｂ，３Ｃを差し込み可能な定規差込孔３１Ｂと接続穴３１Ｃとを備えている。キャップ３１を定規３Ａ，３Ｂ，３Ｃの端部に取り付ける際には、定規３Ａ，３Ｂ，３Ｃの端部をキャップ３１の定規差込孔３１Ｂに差し込み、キャップ３１の接続穴３１Ｃと定規３Ａ，３Ｂ，３Ｃの接続穴３４とで固定する。
【００２２】
上記構成の管寸法割出器具１は、図３に示すように、第１配管１１の外周面上であって第２配管１２の軸線１２Ｃからの距離が最も遠い位置１１Ｆに沿って基準桿２を当接させ、支持部４にスライド可能に支持される定規３をスライドさせて第２配管１２の外周面上であって第１配管１１の軸線１１Ｃからの距離が最も近い位置１２Ｂに当接させる。そして、基準桿２が当接する第１配管１１の端面１１Ａの角位置１１Ｂから第２配管１２の外周面上の当接位置１２Ｂまでの長さ（定規３のキャップ３１の角位置３１Ａから基準桿２の角位置２１までの長さ）Ｌ１を定規３により測定する。
【００２３】
なお、４５度エルボ５１，５２は、４５度に曲がる本体５１Ａ，５１Ｂの両端に各第１〜第３配管１１〜１３が嵌まる接続部５１Ｂ，５２Ｂが突出している。本体５１Ａ，５１Ｂと接続部５１Ｂ，５２Ｂとの間には段差５１Ｃ，５２Ｃを有し、各第１〜第３配管１１〜１３は、この段差５１Ｃ，５２Ｃの位置まで挿入することが可能となっている。便宜上、本実施形態においてはこの段差５１Ｃ，５２Ｃの位置を挿入可能位置５１Ｃ，５２Ｃとする。
【００２４】
ところで、第１配管１１と第２配管１２とを４５度エルボ５１，５２を用いずに第３配管１３だけで接続した場合、図４に想像線で示すように、第１配管１１と第３配管１３との接続面は接続点５１Ｄ，５１Ｅを結ぶ線分を長径とする楕円となる。また、第２配管１２と第３配管との接続面は接続点５２Ｄ，５２Ｅを結ぶ線分を長径とする楕円となる。そして、４５度エルボ５１，５２を用いた場合には、この接続点５１Ｄ，５１Ｅから挿入可能位置５１Ｃ、および、接続点５２Ｄ，５２Ｅから挿入可能位置５２Ｃまでの部分は存在しないため、その分、配管は短くなる。
【００２５】
そこで、第３配管１３の寸法を、接続点５１Ｄから挿入可能位置５１Ｃまでの長さＬ２と、接続点５２Ｅから挿入可能位置５２Ｃまでの長さＬ３と、このＬ２，Ｌ３と定規３により測定したＬ１とから割り出す。すなわち、定規３により測定したＬ１（定規３のキャップ３１の角位置３１Ａから基準桿２の角位置２１までの長さ）は接続点５１Ｄから接続点５２Ｅまでの長さであり、第３配管１３の長さは挿入可能位置５１Ｃ，５２Ｃ間の長さであるため、第３配管１３の寸法はＬ１−（Ｌ２＋Ｌ３）により求められる。
【００２６】
また、第２配管１２の寸法については、一般的な定規を用いて図３に示す第２配管１２の基端から定規３のキャップ３１の当接位置１２Ｂまでの長さＬ４を測定し、接続点５２Ｄから挿入可能位置５２Ｃまでの長さＬ５と、接続点５１Ｅから挿入可能位置５１Ｃまでの長さＬ６とから、Ｌ４−（Ｌ５＋Ｌ６）により求められる。なお、本実施形態においては４５度エルボ５１，５２は同じものであるため、Ｌ５＝Ｌ２、Ｌ６＝Ｌ３である。また、この例では長さＬ５，Ｌ６の分だけ第２配管１２の寸法を短くしているが、第２配管１２に代えて第１配管１１の寸法を短くすることも可能である。あるいは、長さＬ５，Ｌ６の分を第１配管１１および第２配管１２に分けて短くすることも可能である。
【００２７】
以上のように、本実施形態における管寸法割出器具１によれば、定規３の実長Ｌ１によって感覚的に長さを把握しやすい。また、接続する配管の呼び径に関わらず、管寸法割出器具１によってＬ１の長さを測定すれば良く、１つの器具で対応することが可能であり、Ｌ１長さと４５度エルボ５１，５２のＬ２，Ｌ３寸法とから第３配管１３の寸法を割り出すことができる。
【００２８】
なお、上記実施形態においては、４５度エルボ５１，５２を用いた例について説明したが、４５度以外の角度（第１角度）で方向を曲げる管継手にも管寸法割出器具１は適用可能である。また、上記実施形態においては、第１配管１１が第２配管１２より上方に配設された例について説明したが、第１配管１１と第２配管１２とが水平方向に配設されている場合や、互いに平行に斜め方向に配設されている場合にも適用可能である。要するに、本実施形態における管寸法割出器具１では、互いに平行な偏心関係にある第１配管１１と第２配管１２とをそれぞれ第１角度で方向を曲げる管継手を介して斜め方向に接続する第３配管１３の寸法を割り出すことが可能である。
【産業上の利用可能性】
【００２９】
本考案の管寸法割出器具は、互いに平行な偏心関係にある２つの配管を、それぞれ方向を曲げる管継手を介して斜め方向に接続する配管の寸法を割り出すための器具として有用である。
【符号の説明】
【００３０】
１  管寸法割出器具
２  基準桿
３  定規
４  支持部
１１  第１配管
１２  第２配管
１３  第３配管
５１，５２  ４５度エルボ
３０  目盛
３１  キャップ
【図１】
0003219197.tif 000003
【図２】
0003219197.tif 000004
【図３】
0003219197.tif 000005
【図４】
0003219197.tif 000006